(57)【要約】内側および外側レバー・ハンドル７４、３６によって作動されるロック機構は、保安教室機能を与え、内側および外側ロック・シリンダ２００、６０およびキー２０２、６０によって施錠状態と解錠状態との間で独立して切換え可能である内側および外側ロック機構を含む。内側ハンドル７４は、ラッチボルトを後退させるようにロック機構を常に作動する。外側ハンドル３６は、内側および外側ロック機構が解錠状態にあるとき、ラッチボルトを後退させるだけである。外側キー６０は、内側ロック機構が施錠状態にあるときにラッチボルトを後退だけさせることができるが、内側ロック機構を解錠状態に変更するかまたは外側ハンドル３６を可能にすることができない。それによって、内側から外側ハンドル３６の施錠状態中確実な制御を保証する。
2005535803.tif 000002
【特許請求の範囲】
【請求項１】
ドアーに装着するための保安教室機能ロック機構であって、
内側ロック・シリンダおよび対応する内側キーによって操作可能な内側ロック機構であって、解錠状態と施錠状態との間で前記内側ロック機構を変更するようになっている内側ロック機構と、
外側ロック・シリンダおよび対応する外側キーによって操作可能な外側ロック機構であって、解錠状態と施錠状態との間で前記外側ロック機構を変更するようになっている内側ロック機構と、ただし前記内側および外側ロック機構の状態は互いに独立しており、
ドアーを掛止する伸長位置とドアーを開放する後退位置との間の移動をするように内側および外側ハンドルによって操作可能なラッチボルトを含むラッチ機構と、ならびに
施錠位置と解錠位置との間で移動可能なロック片とを備え、
ただし、前記ロック片が前記施錠位置にあるとき、前記ロック片は前記外側ハンドルが前記ラッチボルトを前記後退位置へ動かすことを防止し、前記内側ロック機構または前記外側ロック機構のいずれかが前記施錠状態に変更されたとき、前記ロック片は前記解錠位置から前記施錠位置まで駆動され、また、前記内側および外側ロック機構の両者が前記解錠状態に変更されたとき、前記ロック片は前記解錠位置へ駆動される、保安教室機能ロック機構。
【請求項２】
前記ロック片は両方向において外方に突出する２本のロックラグを含み、前記ロック片が前記施錠位置にあるとき、前記ロックラグはロックコアに係合して前記外側ハンドルが前記ラッチボルトを前記後退位置へ動かすことを防止する、請求項１に記載の保安教室機能ロック機構。
【請求項３】
前記外側ハンドルは外側スリーブ上に回転不能に装着されていて、前記外側ハンドルが回転されるとき、該外側スリーブを回し、
前記外側スリーブが前記外側ハンドルによって回転されるとき、前記外側スリーブが前記ロック片に係合し、かつ、前記ロック片を回し、
前記ロック片は外側ラッチドライバを含み、前記外側ハンドルが回転されたとき、前記外側ラッチドライバは前記ロック片と共に回され、
前記ロック片が前記解錠位置にあるとき、前記伸長位置と前記後退位置との間で前記ラッチボルトを駆動するように前記ラッチ機構に係合することによって、また、前記ロック片が前記施錠位置にあるとき、前記ラッチ機構から離脱することによって、前記外側ラッチドライバが前記スリーブと前記ラッチ機構との間に動作接続を形成する、請求項１に記載の保安教室機能ロック機構。
【請求項４】
前記ロック片はそれを貫通するキー被駆動片を含み、該キー被駆動片は前記外側ロック機構によって回転駆動され、前記キー被駆動片が前記施錠位置にあるとき、該キー被駆動片が前記ラッチ機構に係合して、前記ロック片が前記施錠位置にあるとき、前記ラッチロッドが前記外側ロック・シリンダによって後退されることを許す、請求項３に記載の保安教室機能ロック機構。
【請求項５】
前記キー被駆動片はキー端とスプライン形成端とを含み、前記ロック片が前記施錠位置にあるとき、該スプライン形成端がラッチ機構に係合する、請求項４に記載の保安教室機能ロック機構。
【請求項６】
前記キー端は前記スプライン形成端に関して軸方向に滑動できる、請求項５に記載の保安教室機能ロック機構。
【請求項７】
前記キー被駆動片の前記キー端を該キー被駆動片の前記スプライン形成端から離れさせる偏倚作用を及ぼす第１スプリングをさらに含む、請求項６に記載の保安教室機能ロック機構。
【請求項８】
前記キー被駆動片の前記キー端を前記外側シリンダに向ける偏倚作用を及ぼす第２スプリングをさらに含む、請求項７に記載の保安教室機能ロック機構。
【請求項９】
ドアーの第１開口内に嵌合するのに適したロックコアをさらに含み、該ロックコアがベアリングを含み、前記ラッチ機構はドアーの第２開口内に嵌合するのに適したラッチボルト・フレームを含み、前記第２開口がドアーの縁からドアーの前記第１開口まで延び、前記ラッチボルト・フレームが前記ロックコアに取り付けられかつ該ロックコアに固く係合し、前記ラッチボルト・フレームがドアーの前記第２開口によって係合され、前記ラッチボルト・フレームと前記ロックコアとの間の固い係合がドアーに関する前記ロックコアの回転を防止するように作用する、請求項１に記載の保安教室機能ロック機構。
【請求項１０】
前記ラッチボルト・フレームは管である、請求項９に記載のロック機構。
【請求項１１】
前記ロックコアがスプリング・リターンを含み、該スプリング・リターンは前記レバー・ハンドルをレベル位置にまたはそれより上に保持するのに十分な強度を有する、請求項９に記載の保安教室機能ロック機構。
【請求項１２】
前記ロックコアはほぼ円筒形であり、前記スプリング・リターンが複数のコイルスプリングを含み、該コイルスプリングは前記ロックコアの内面と湾曲接触状態に配置される、請求項１１に記載の保安教室機能ロック機構。
【請求項１３】
前記ラッチボルト・フレームは前記ロックコアを貫通し、前記スプリング・リターンが４本のコイルスプリングを含み、該コイルスプリングは２対のコイルスプリングを備え、該コイルスプリングの対は前記ラッチボルト・フレームの両側に配置される、請求項１２に記載の保安教室機能ロック機構。
【請求項１４】
前記ラッチ機構は、前記ラッチボルトを前記後退位置へ動かす後退子機構と、ラッチ後退増幅子とをさらに含み、
前記ラッチ後退増幅子は、一端において前記ラッチボルト・フレームに旋回自在に取り付けられかつ他端において前記ラッチボルトに接触する後退子アームと、前記後退子機構と前記後退子アームとの間に延びる後退子リンクとを備え、
前記レバー・ハンドルが４５度以下だけ回転されたとき、前記スリーブは前記ラッチボルトを前記後退位置まで動かすように前記後退子機構に接続されている、請求項９に記載の保安教室機能ロック機構。
【請求項１５】
前記レバー・ハンドルが休止しているとき、前記ロックコアが該ロックコアに関して前記レバー・ハンドルの角度装着向きを規定し、前記ラッチボルト・フレームが前記ロックコア上の前記レバー・ハンドルの角度装着向きに関して１８０度以下の角度で前記ロックコアに係合し、それにより、ドアーの第２開口および前記ラッチボルト・フレームが水平のとき、前記レバー・ハンドルがゼロより大きい水平を超える角度に維持される、請求項９に記載の保安教室機能ロック機構。
【請求項１６】
前記レバー・ハンドルが前記スリーブの前記シャフト部分に固く装着されて前記スリーブに関して前記レバー・ハンドルの軸方向運動を防止し、
前記スリーブは該スリーブを受けるベアリングの内径よりも大きい直径を有する拡大部分を含み、該拡大部分は保持カラーによって前記ベアリングの正面と接触状態に保持され、前記拡大部分は前記ベアリングの正面と共同して前記ロックコアに関して前記スリーブの軸方向運動を防止する、請求項９に記載の保安教室機能ロック機構。
【請求項１７】
前記保持カラーはロック切欠を含み、該ロック切欠はロックピンに係合して前記保持カラーが除去されることを防止する、請求項１６に記載の保安教室機能ロック機構。
【請求項１８】
前記ロックピンは前記ロックコア内まで延びている、請求項１７に記載の保安教室機能ロック機構。
【請求項１９】
前記ロックピンは頭部を含み、前記ロックコアは前記ロックピンの頭部を受ける凹所を含み、前記保持カラーが前記ロックコアに関して位置決めされることを許し、前記保持カラーが前記ロックコアに関して位置決めされた後に、前記ロックピンの頭部が前記ロックコアの凹所から外方に前記保持カラーの前記ロック切欠まで延びている、請求項１７に記載の保安教室機能ロック機構。
【請求項２０】
前記ロックコアに関して前記ラッチボルト・フレームを保持するように、前記ロックピンが前記ラッチボルト・フレームまで延びている、請求項１７に記載の保安教室機能ロック機構。
【請求項２１】
前記ロックコアは円筒形中央コアおよび１対のベアリング・キャップを含み、該１対のベアリング・キャップの一方は前記ベアリングを含み、他方は第２ベアリングを含む、請求項９に記載の保安教室機能ロック機構。
【請求項２２】
前記ロックコアの前記ベアリング内に前記スリーブを回転自在に装着することは、回転軸を規定し、前記ラッチボルト・フレームは前記ロックコアを貫通しかつ前記回転軸の両側で前記ロックコアに係合する、請求項９に記載の保安教室機能ロック機構。
【請求項２３】
前記内側ロック機構は、前記内側ハンドルに接続されかつ前記内側ロック機構が前記解錠状態と前記施錠状態との間で動くとき前記ラッチ機構と連続係合状態にある内側ラッチドライバを含み、
前記外側ロック機構は外側ラッチドライバおよびキー被駆動片を含み、前記外側ラッチドライバは、前記外側ロック機構が前記解錠状態にあるときに前記ラッチ機構に係合しかつ前記外側ロック機構が前記施錠状態にあるときに前記ラッチ機構から離脱し、前記外側ロック機構が前記施錠状態にあるときに前記キー被駆動片は前記ラッチ機構に係合される、請求項１に記載の保安教室機能ロック機構。
【請求項２４】
前記キー被駆動片は２つの両端を含み、該２つの両端は互いに関して軸方向に滑動できる、請求項２３に記載の保安教室機能ロック機構。
【請求項２５】
前記キー被駆動片の前記２つの両端を互から離れるように偏倚作用を及ぼすスプリングをさらに含む、請求項２４に記載の保安教室機能ロック機構。
【請求項２６】
前記外側ロック機構の前記キー被駆動片は前記内側ロック機構の内側ラッチドライバによって接触され、前記内側ロック機構の内側ラッチドライバは前記内側ラッチドライバを軸方向に動かし、それにより前記外側ロック機構の前記キー被駆動片を動かす螺旋溝を含む、請求項２３に記載の保安教室機能ロック機構。
【請求項２７】
前記外側ロック機構の前記キー被駆動片は、前記外側ラッチドライバおよび前記キー被駆動片を軸方向に動かす螺旋溝を含む、請求項２６に記載の保安教室機能ロック機構。
【請求項２８】
前記外側ロック機構の前記キー被駆動片は、前記外側ラッチドライバおよび前記キー被駆動片を軸方向に動かす螺旋溝を含む、請求項２３に記載の保安教室機能ロック機構。
【発明の詳細な説明】
【技術分野】
【０００１】
本発明は、占有された教室または事務所に侵入者が入り込むことを防止するためにロック機構が内側からキーによって施錠されることができる侵入者または保安教室機能を備えた高品質円筒形ロックに関する。本発明は、侵入者が非常に高レベルのトルクを、レバー・ハンドルをかいしてロック機構に加えることができるような公共の建造物にしばしば要求されるレバー・ハンドル設計に特に有用である。
【背景技術】
【０００２】
事務所建造物および学校等の商業および公共建造物において使用されるロック（錠前）は、保安教室機能（「侵入者」機能としても言及されている）をますます設けられつつある。この種のロックは、教室または事務所を通路または公共領域から分離するために内側ドアーに通常用いられている。
【０００３】
この機能を有するロックは、ドアーの両面にキー操作ロック・シリンダを有する。ドアーのいずれかの面でキーを回すことによって、ドアーを施錠し、外側ハンドルがドアーを開くことを防止する。しかし、ドアーが施錠されているか解錠されているかにかかわらず、内側ハンドルはラッチを常に後退させ、必要に応じて、ドアーを開いて内側の者が出ることを許す。このロック機能の主な利点は、ドアーを開かずに、かつ、ドアーの他方の側にいる侵入者に対して内側の者を露わさずに、ドアーが内側から施錠されることである。
【０００４】
より慣用のロック設計をドアーの内側のボタン・ロック作動子と比較した場合、この機能を有するロックはドアーの施錠状態のより確実な制御を与える。２つのロック・シリンダのうちキーなしの一方は、ドアーの施錠状態を変更することができない。これは、内側から外側ドアーを施錠するためにキーを必要としない従来のボタン・ロック作動子について起こることのある迷惑な施錠を減少する。
【０００５】
異なるキーが、この機能を備えたロックに内側および外側ロック・シリンダに対して用いられてもよい。これは、教師または事務所員が内側から侵入者機能を作動する内側キーを発行されることを許すが、しかし、部屋が施錠されている場合に、彼等が外側からその部屋に（または任意のその他の施錠された部屋）に接近することを許さない。
【０００６】
近年この機能を利用できるロックは、ロック機構を施錠状態へまたはその状態から切り換えるために２つのロック・シリンダのいずれか一方によって作動される単独のロック機構を設けられている。ドアーが外側ロック・シリンダから施錠状態に置かれているならば、それは、内側シリンダから解錠状態に、およびその逆に復帰されることができる。
【０００７】
この種の従来設計に絡む１つの問題は、ドアーが内側の者が知ることなしに外側キーによって解錠状態に切り換えられることである。その結果、ドアーが内側から施錠された後であっても、ドアーが決して開かなかったとしても、内側の者はドアーの施錠状態に関して常に確実ではありえない。ドアーを施錠するように試みたとき、または内側が安全であるかもしくは侵入者が中にいないかを確認するために点検するさいに、権限を与えられた保安要員または警官によって、ドアーは外側から故意ではなく解錠されてしまう。
【０００８】
この機能を有する既存のロックに絡む関連した問題は、外側キーによって外側からドアーを開けることがドアーを自動的に通常解錠することである。警官または保安要員が部屋を開けたとき、彼等はキーを挿入し、部屋を再び施錠することを憶えていなければならない。侵入者事件を取り巻く混乱状態においては、警官または保安要員はロックの正しい操作に慣れていない場合に、入室前に安全に施錠されている部屋が解錠状態になる。
【０００９】
ロックの強度は、レバー・ハンドル設計に加えられたときに特別の関心事である。ドアー・ハンドルが従来の丸いノブよりはむしろレバー・ハンドルとして形成されているとき、ドアーはずっと容易に開く。この理由のために、レバー・ハンドルはいくつかの用途においては好ましく、また、レバー・ハンドルは身体障害者および老人によって接近（利用）を容易にするために、公共の建造物においては特定のドアーに対して適用可能調整の下で要求されることもある。
【００１０】
しかし、ドアー・ハンドルのレバー形状は、丸いノブによって加えられるドアーの内部ロック機構に加えられる力よりもずっと大きな力になることを許す。最も多いドアー・ロックにおいては、ドアーが施錠されたとき、ロック機構はノブが回されないようになっている。丸いドアーノブがレバー・ハンドルに置き換えられたとき、レバー・ハンドルから得られるずっと大きい梃子比が、侵入者がハンドルのレバー端に立つか飛び上がることによってロック機構の内部構成部品を破壊することを侵入者に許すことがある。この問題は、シリンダ・ロックに対して特に深刻である。シリンダ・ロックは、堅牢なロック構成部品を収容するために、ほぞ穴式ロックよりは内部余裕が少ない。
【００１１】
別の問題は、レバー・ハンドルを垂れ下がらせる傾向があるレバー・ハンドルの不均衡な形状に関連している。従来の丸いドアーノブはハンドルの回転軸の周りに均衡されている。したがって、ハンドルを休止位置に戻すためには比較的小さな力を要する。この復帰力は、ロック内のラッチロッド戻りばねによって通常は与えられる。しかし、レバー・ハンドルはそれをレベル位置に戻すためにずっと大きな力を必要とする。十分な力は、ラッチロッド戻りばねによって与えられることはできないので、多くのレバー・ハンドル設計は補助レバー・ハンドル戻りばねを組み込んでいる。
【００１２】
レバー・ハンドル戻りばねは大きいので、また、ロック内には限られた空間しかないので、補助レバー・ハンドル支持ばねは従来では菊形部（ｒｏｓｅ）内に配置されていた。これが有効であるが、菊形部内のレバー・ハンドル戻りばねは、比較的魅力的ではないと考えられている厚い菊形部をつくる。
【００１３】
丸いドアーノブの視覚上の対称は、ハンドルが解除されたとき、ノブが休止位置まで正確に戻ることは厳密ではないことを意味する。しかし、レバー・ハンドルがレバー休止位置まで十分に戻らない場合には、ハンドルは垂れ下がって見える。このような視覚上の垂れ下がりは特に嫌なものである。しかし、レベルよりもわずかに上にある休止位置は、一般に嫌なものであるとは考えられていない。
【００１４】
正常な摩耗または構成部品の公差の結果として、視覚上の垂れ下がりを回避するために、レバー・ハンドルの休止位置が水平よりもわずかに上であることが望ましい。しかし、従来では左手揺動ドアーおよび右手揺動ドアーに対する２つの異なる形体にロックを構成せずに、または停止部を菊形部内に配置せずに、レバー・ハンドルをレベルよりも上の位置まで戻すように配置することは困難であった。
【００１５】
従来のロックは、上下を反転することによって左手揺動ドアーまたは右手揺動ドアーのいずれかに装着されうる。これは、左手揺動操作および右手揺動操作を許しながら、ドアーの同じ側にロック機構のロック側を維持する。しかし、停止位置がロック機構内に配置されなければならないならば、水平軸周りのこの回転は、上レベル停止位置が嫌な下レベル位置に逆転する。しかし、左手揺動ドアーおよび右手揺動ドアーについて別個のロックを要求することは、在庫費用を増やし、混乱を招き、誤ったロックが注文されたときに遅延するので、好ましくない。
【００１６】
したがって、停止部は菊形部内に通常は配置される。これは、ロックが左手揺動ドアーまたは右手揺動ドアーのいずれに装着されるかにかかわらず、菊形部の頂部を頂部に常に維持する要求に基づいて、ロック本体に関して菊形部を反転されることを許す。しかし、停止部を菊形部内に配置することは、菊形部が停止部を収容するために厚くなることを要求するので、好ましくない。
【００１７】
菊形部が用いられるとき、ハンドル運動を制限しかつ戻りばねを収容するために停止部を設けることは、ドアーに関して菊形部を据え付ける必要がある。通常は、これはドアーの両面に菊形部を接続しかつロック本体用主穴の外側を通過する貫通ボルトによってなされる。しかし、貫通ボルトはこれらの穴を被覆するために大径の菊形部を要求する。このような大径菊形部は人によっては魅力的ではないと考えられ、また、大径は菊形部の費用を増す。
【００１８】
従来技術のレバー・ハンドル・シリンダ・ロックに絡む別の問題は、ハンドルをロック機構に取り付けるように使用される方法の結果として起こる。一般に、ハンドルはシャフトを超えて滑り、ばね負荷捕捉片によって捕捉される。捕捉片はそれを捕捉する穴からいくらかの間隙を有していなければならず、この間隙はシャフトとハンドルとの間の軸方向運動を許す。この運動は、使用者によって「緩い」ハンドルとして認識され、好ましくない。しばしば、シャフトとロック機構との間にはいくらかの相対運動がある。これは、ハンドルとドアーとの間に追加の嫌な軸方向運動に寄与する。ハンドルとロック機構との間のこの軸方向端遊びを減少または排除することが非常に望ましい。
【発明の開示】
【発明が解決しようとする課題】
【００１９】
従来技術の問題および欠点を考慮して、したがって、本発明の目的は、内側ロック・シリンダおよび外側ロック・シリンダが外側ハンドルを施錠状態に維持するために独立して動作して、内側ロック・シリンダが施錠状態にあるときにドアーを開くように用いられるが、内側ロック・シリンダが解錠状態に変更されない限り、外側ロック・シリンダは外側からの進入のために外側ハンドルを永久に解錠できない、保安教室機能を有するロック機構を提供することにある。
【００２０】
本発明の別の目的は、悪用に対して強力でかつ抵抗のあるレバー・ハンドルと共に用いるロック機構を提供することにある。
【００２１】
本発明の別の目的は、貫通孔の穴開けを必要としないレバー・ハンドルと共に使用するロック機構を提供することにある。
【００２２】
本発明の別の目的は、薄くかつ小径菊形板を使用するレバー・ハンドルと共に使用するロック機構を提供することにある。
【００２３】
本発明の別の目的は、ハンドルとロック本体との間に減少された端遊びを有するレバー・ハンドルと共に使用するロック機構を提供することにある。
【００２４】
本発明のさらに別の目的は、現場でより完全に分解されかつ修理されうるレバー・ハンドルと共に使用するロック機構を提供することにある。
【００２５】
本発明のその他の目的および利益は、明細書の記載から一部は自明であり、一部は明白であろう。
【課題を解決するための手段】
【００２６】
当業者にとっては明白であろう上記目的およびその他の目的は、本発明において達成される。本発明は、内側および外側ロック機構、ラッチ機構、外側ハンドルを施錠するように施錠位置と解錠位置との間で動くロック片を備えたドアーに装着するための保安教室機能ロック機構に向けられている。
【００２７】
内側ロック機構は、内側ロック・シリンダおよび対応する内側キーによって操作されて、内側ロック機構を施錠状態と解錠状態との間で変更する。外側ロック機構は、外側ロック・シリンダおよびキーによって類似の仕方で操作されて、施錠状態と解錠状態との間で変更する。内側および外側ロック機構の施錠状態または解錠状態は、互いに完全に独立している。
【００２８】
ラッチ機構は、伸長位置（ドアーを掛止するため）と後退位置（ドアーを開くため）との間の移動のために内側および外側ハンドルによって操作可能なラッチボルトを含む。
【００２９】
ロック片は、施錠位置と解錠位置との間で動く。施錠位置において、ロック片は外側ハンドルがラッチボルトを後退位置まで動かさないようにする。内側ロック機構または外側ロック機構のいずれかが施錠状態に変更されたとき、ロック片は解錠位置から施錠位置へ駆動される。内側ロック機構および外側ロック機構の両者が解錠状態に変更されたときにのみ、ロック片は解錠位置へ動く。
【００３０】
本発明の設計は、高トルク負荷がかかるレバー・ハンドルを用いるロックに特に適している。好適実施例においては、ロック片は両方向において外方に突出する２つのロックラグを含む。ロックラグは、ドアーに関して回転を防止されているロックコアに係合する。
【００３１】
本発明のこの観点においては、外側ハンドルは、それが回転されたときに、外側スリーブを回すように外側スリーブに回転不能に装着される。外側スリーブは、ロック片に係合し、かつ、外側スリーブが外側ハンドルによって回転されたとき、ロック片を回す。ロック片は、外側ハンドルが回されたとき、ロック片と共に回される外側ラッチドライバを含む。外側ラッチドライバは、ロック片が解錠位置にあるとき、伸長位置と後退位置との間でラッチボルトを駆動するようにラッチ機構に係合することによって、また、ロック片が施錠位置にあるとき、ラッチ機構から離脱することによって、スリーブとラッチ機構との間に動作接続を形成する。
【００３２】
ロック片は、それを貫通するキー被駆動片を含む。キー被駆動片は外側ロック機構によって回転駆動される。ロック片が施錠位置にあるとき、キー被駆動片がラッチ機構に係合して、外側キーを外側ロック・シリンダに挿入することによって、また、ロック片が施錠位置にあるとき、外側ロック・シリンダを回転することによってラッチロッドが後退されることを許す。
【００３３】
キー被駆動片はキーおよびスプライン形成端を含む。ロック片が施錠位置にあるとき、スプライン形成端はラッチ機構に係合する。キー端およびスプライン形成端は互いに関して軸方向に滑動できる。第１スプリングは、キー被駆動片のスプライン形成端から離れるようにキー被駆動片のキー端に偏倚作用を及ぼす。第２スプリングは、キー被駆動片のキー端を外側シリンダに向けて偏倚作用を及ぼす。軸方向滑り作用およびスプリング偏倚作用は、内側および外側ロック機構の独立した操作を許し、かつ、両機構が解錠状態にあるとき、外側ハンドルが解錠されるだけであることを保証する。
【００３４】
最も高度な好適設計においては、本発明は、ドアーの第１開口内に嵌合するのに適したロックコアと、ドアーの第２開口内に嵌合するのに適したラッチボルト・フレームとを含む。第２開口は、ドアーの縁からドアーの第１開口まで延びている。ラッチボルト・フレームは、それがロックコアに関して回されないようにロックコアに係合する。ラッチボルト・フレームがドアーの第２開口によって保持されかつロックコアに固く係合しているので、ロックコアはドアーに関して回転を防止されている。このＴ形状構造は、レバー・ハンドルに直接に加わるトルク負荷を強力な構造部材（ラッチフレームおよびロックコア）をかいしてドアーへ伝達する作用をする。
【００３５】
ラッチボルト・フレームは、ラッチ機構を包囲する管として構成されてもよい。ラッチは、レバー・ハンドルによってロックコアへ１０００インチ−ポンドのトルクを付加している間、ロックコアの顕著な回転を防止するのに十分に堅牢である。
【００３６】
本発明の追加の観点においては、スプリング・リターンは第１開口内（菊形部内ではない）でロックコアに配置され、また、レバー・ハンドルが４５度だけ回転されたとき、ラッチ後退増幅子がラッチボルトを後退位置まで動かす作用をする。
【００３７】
内側および外側ロック機構が一方の面から他方の面に反転されてもよいように、ロックコアに関して除去可能であるスリーブに内側および外側ロック機構が配置されるように、ロックが特に設計されている。これは、ハンドル垂れ下がりを補償するようにかつ内側と外側とが反転されることを許すように、ラッチボルト・フレームがロックコアに角度を付けて取り付けられることを許す。
【００３８】
ロック片は、それが施錠位置から解錠位置まで軸方向に滑ることができるように、外側スリーブに装着される。ロック片は、好ましくは少なくとも１つのロックラグ、さらに好ましくは施錠位置にあるロックコアに係合するようにスリーブから半径方向外方に突出する２つのロックラグを含む。これは、レバー・ハンドルおよびスリーブがロックコアに関して回転することを防止する。ロックラグを堅牢につくりかつそれらをスリーブの半径を超えて外方に延長することによって、それらにかかる力が減少され、それらは従来技術の設計に比べて著しい悪用に耐えることができる。
【００３９】
本発明の別の観点においては、端遊びは、ロックへのハンドルの接続から排除される。これを達成するために、レバー・ハンドルはスリーブのシャフト部分に固く装着されて、スリーブに関するレバー・ハンドルの軸方向運動を防止する。スリーブは、それを受けるベアリングの内径よりも大きい直径を有する拡大部分を含む。スリーブの拡大部分は、保持カラーによってベアリングの正面に接触状態に保持される。スリーブの拡大部分は、ベアリングの正面と共同してロックコアに関するスリーブの軸方向運動を防止する。
【００４０】
本発明のさらに別の観点においては、保持カラーが１またはそれを超えるロック切欠を設けられる。ロック切欠の１つは、ロックピンと係合して保持カラーが取り除かれることを防ぐ。本発明の好適実施例においては、ロックピンは頭部を含み、また、ロックコアはロックピンの頭部を受ける凹所を含む。これは、保持カラーがロックコア上で定位置に締め付けられることを許す。ロックピンの頭部は、ロックコアの凹所から外方に延ばされ、保持カラーが締め付けられた後に保持カラーのロック切欠と係合状態になる。
【００４１】
本発明のさらに別の観点においては、ロックコアは、円筒形中央コアと、１対のベアリング・キャップとを含む。各ベアリング・キャップは、ベアリングを含む。ベアリング・キャップは、ロックコアが分解されることを許すように、着脱自在締結具によってロックコアに接続される。
【発明を実施するための最良の形態】
【００４２】
本発明の好適実施例を記載するにさいして、図面の図１−１０についてここに参照される。図１−１０においては、同様な参照記号は本発明の同様な特徴を示している。図１−７に示すロックの実施例は、保安教室機能ロック機構を含んでいないが、保安教室機能ロック機構を装備されたとき、ロックの動作をより良く理解するための基礎を与えるためにまず記載される。
【００４３】
図１および図２を参照すれば、本発明は、両側に２つの外ネジ付きベアリング１２、１４を有するロックコア１０を含む。ロックコア１０は、管の形状に形成されたラッチボルト・フレーム２０を含むラッチ機構１８を受ける正面開口１６を含む。ラッチ機構１８は、ラッチボルト２２と、ラッチボルトを後退させるようにラッチボルト・フレーム２０に配置された後退子機構１０２（図６、７参照）とを含む。
【００４４】
ラッチボルト・フレーム２０を備えた管は、ロックコア１０の正面の開口１６を貫通し、中心線２４を横切り、ロックコアの裏面にある第２開口２６と係合する（図３参照）。拡大頭部３０を有するロックピン２８は、ロックコア１０およびラッチボルト・フレームの後方にある穴３２を貫通してロックコア１０にラッチ機構１８を固く保持する。図２は、この組み立てられた構成を示す。
【００４５】
ラッチボルト機構の軸３４、ハンドルおよびロックコアの軸２４は、「Ｔ」形状を規定する。ラッチボルト・フレーム２０は、ロックコア１０に固く係合し、円筒形ロックコアから外方に延びていて、ロックコア１０が装着されるドアーの開口に関してロックコア１０の回転を防止する。ロックコア１０は、ドアーの２つの面間で垂直に穴開けされた開口に従来通りに装着される。ラッチ機構１８は、ドアーの縁から大開口まで垂直に穴開けされた小穴に慣用の仕方で装着される。
【００４６】
ラッチボルト・フレームおよびロックコアの両者は、堅固に構成される。特に、管状ラッチボルト・フレームは容易には曲げることができない。したがって、ロックコアからのラッチボルト・フレームの延長、堅固な構成、ロックコアの後方とピン係合をするようにロックコアを完全に通るラッチボルト・フレームの延長は、すべてドアーとロック機構との間に小型の接続をつくるように共同する。この構造は、ロックコアをドアー内での回転に強く抵抗させ、悪用中にロック機構に加わる力が、ハンドルからロックコアまでおよびそこから直接にドアーまで伝達されることを許す。これは、別個の貫通ボルトの必要性を排除する。貫通ボルトは、レバー・ハンドルに加えられることができる不正な力に抵抗するように高品質のレバー・ハンドル・ロックに通常用いられている。
【００４７】
外側ハンドル３６は、スリーブ４０のシャフト部分３８に装着される。スリーブ４０の内側部分３２はベアリング１２の内側で回転する（図３）。スリーブ４０の内側部分４２およびシャフト部分３８は、拡大部分４４によって分離される。拡大部分４４は、ベアリング１２の内径よりも大きい直径を有する。
【００４８】
内側部分３２は、拡大部分４４がベアリング１２の正面４６に接触するまで、ベアリング１２内に滑り込む。スリーブ４０は、外側保持カラー４８によってベアリング１２内に保持される。
【００４９】
外側保持カラー４８は内側にネジが切られていて、外側保持カラーがベアリング１２の外ネジに係合される。外側保持カラー４８は、ベアリング１２の正面４６に回転接触でスリーブ４０の拡大部分４４を保持する。外側保持カラー４８は外ネジ（内ネジばかりではなく）を設けられていて、菊形部５０（内ネジが切られている）が外側保持カラー４８の外部に係合される。外側保持カラー４８は平坦部５２を設けられていて、外側保持カラー４８が外ネジを損傷せずにレンチで締め付けられる。外側保持カラー４８は、ベアリング１２の正面４６に対して所望の圧力でスリーブ４０を保持するのに十分に締め付けられる。この設計は、ロックコア１０に関してスリーブ４０の軸方向移動を完全に排除する。
【００５０】
外側ハンドル３６は、止めネジ５４によっておよびスプリング保持機構５６によってスリーブ４０のシャフト部分３８に保持される。キー６０がロック・シリンダに挿入されずかつ回されないならば、スプリング保持機構５６がロック・シリンダ５８と共同してハンドル３６が取り除かれないようにする。止めネジ５４は、ハンドル３６がシャフト部分３８に関して軸方向に移動しないようにする。止めネジ５４は、ハンドル３６とロックコア１０との間の端遊びを排除し、ロック機構に対して高級感触を与える。スプリング保持機構５６およびロック・シリンダ５８は共同してレバー・ハンドル３６がキーなしでは取り除かれないようにする。
【００５１】
ドアーの内側は、類似しており、そして、内側スリーブ部分６４、拡大部分６６、ベアリング１４の内側に嵌合する内側部分６８を有する内側スリーブ６２を含む。内側カラー７０は、内ネジが切られていてベアリング１４の外ネジに係合しかつ内側菊形部７２を受けるように外ネジを切られている。内側ハンドル７４は内側スリーブ６２のシャフト部分６４に嵌合する。止めネジ７５は、内側ハンドル７４に係合して内側スリーブ６２上に内側ハンドルを保持しかつ端遊びを排除する。
【００５２】
従来の設計においては、ロックコアは内側および外側シャフトと事前に組み立てられる。外側シャフトは、ドアーの施錠側に常に配置されなければならない。したがって、従来のロックコアは、２つの半体間でロックの中心を通る垂直面に関して対称ではない。しかし、従来の設計はロックの中心を通る水平面に関してほぼ対称である。水平対称は、ロックコアが右手揺動ドアーまたは左手揺動ドアーのいずれかに装着するために上下転倒されることを許す。この対称は、右手揺動ドアーおよび左手揺動ドアーの両者に装着されることができる単独のロックを製造するさいには重要である。
【００５３】
しかし、本発明は著しく異なっている。本発明は、ロックコア１０が水平面に関して対称ではなく、その代わりに垂直面に関してほぼ対称であるように設計されている。右手または左手装着用に本ロックを変更するために、ロックコア１０は水平軸の代わりに垂直軸の周りに回転される。従来技術の設計においては、ロックの内側および外側がロックコアに関して固定されているので、この回転はロックの内側および外側を変更するであろう。
【００５４】
本設計におけるこの反転を防止するために、内側スリーブ６２および外側スリーブ４０が除去可能である。ロック機構の内側および外側は、カラー４８、７０ならびに内側および外側ハンドルが取り付けられている関連されたスリーブ４０、６２を除去することによって、反転されうる。従来技術の水平面から垂直面への基本的対称におけるこの変更は、ハンドルの休止位置がわずかに上方に上げられている特徴を維持しながら、菊形部に代えてハンドル用停止部がロックコア内側に配置されることを許す。
【００５５】
図４に最もよく示すように、ロックコア１０およびハンドルの休止位置を規定するコアの内側の停止部がラッチ機構１８の中心線に関してわずかに回転されて、レバー・ハンドル３６、７４の中心線が角度θだけ水平に関して上方に角度付けられる。角度θは、約１または２度が好ましく、３度以下が最も好ましい。従来技術の設計とは相違して、本発明においては、レバー・ハンドルが休止位置にあるとき、レバー・ハンドルの角度装着向きを規定するのは、ロックコアである。ラッチボルト・フレームがロックコアに入るラッチボルト・フレームの中心線３４とレバー・ハンドルの中心線との間の角度は、小角度θだけ１８０度よりも小さい。
【００５６】
ロックコア１０は、それが右手揺動ドアーまたは左手揺動ドアーのいずれに装着されるかにかかわらず、頂部において同じ面で常に装着される。内側および外側ハンドル、菊形部、カラー、スリーブはいずれかの側を外側にするようにロックコアのいずれかの側に装着されることができる。
【００５７】
ロック機構が解錠されたとき、回転レバー・ハンドル３６はスリーブ４０を回転する。図３からわかるように、スリーブ４０は溝８０を含む。溝８０は、スリーブの内側部分４２を垂直に横切って延びている。溝８０は、ロック片８６上にラグ８２、８４を受ける。ラグはスリーブ４０から外方に突出し、溝８０によって案内される。
【００５８】
溝８０は、ロック片８６が施錠位置と解錠位置との間でスリーブ４０の内側に軸方向に滑ることを許す。ロック片のための施錠位置は、ハンドル３６に接近してロック片を位置決めする。解錠位置において、ロック片８６はハンドル３６からスリーブ４０の遠方端に配置される。
【００５９】
スリーブ４０がハンドル３６に関して回転できないので、ハンドルの回転はロック片８６を常に回転させる。ロック片８６は、スプライン部材９２上の外スプライン形成部分９０に係合する内スプライン形成中央開口８８を含む。スプライン部材９２は、スリーブ４０のシャフト部分３８の内側に嵌合しかつロック片８６の内側のスプライン形成開口８８に係合する。スプライン部材９２は、リング溝９６に嵌合するＣリング９４によって定位置に保持される。スプライン形成部分９８はロック片８６の端を超えて外方に延びていて、ラッチ機構１８の内側にある後退子機構１０２を作動するように、対応するスプライン形成開口１００（図６、７参照）に係合する。スプライン形成部分９０、９８は、ロック片８６を常に動かしかつそれと共に回転するラッチドライバを備えた単独片を形成する。しかし、シャフト接続キー端１０４は、２つのスプライン形成部分９０、９８の中心を通ってスプライン形成端１０６まで延びている。これら２つの端は、ラッチドライバ片およびロック片８６と共に常に軸方向に動く単独のキー被駆動片を備えている。しかし、キー被駆動片は、ロック片およびラッチドライバに関してユニットとして自由回転する。キー端１０４は、接続片１１０およびキー尾端片１１１をかいしてシリンダ・ロック１０８によって駆動される。キー端１０４が回転されるとき、スプライン形成端１０６も回転される。
【００６０】
ロック片８６が施錠位置にあるとき、スプライン形成部分９８が後退子機構のスプライン形成開口１００に係合して、ハンドルの回転が後退子機構を作動する。ロック片８６が施錠位置へ外方に動くとき、スプライン形成部分９８はスプライン形成開口１００から引き込まれる。この位置において、スプライン形成端１０６のみがスプライン形成開口１００に係合し、キー１１２を回転することによってラッチは後退されてもよい。
【００６１】
内方（解錠）位置と外方（施錠）位置との間でのロック片８６の軸方向運動が、ロックラグ８２、８４を対応するロックラグ１１４、１１６に係合および離脱させる。
【００６２】
上述したことから、完全な施錠作用がいま記載されることができる。ロック機構は、ロック片８６を施錠位置に向けて外方に滑らせることによって施錠される。ロック片はロック・シリンダ１０８およびキー１１２によってロックの外側からこの位置へ、またはボタン機構１１７によって内側からこの位置へ動かされることができる。ロック片が外方に動くとき、それは同時に後退子のスプライン形成開口１００からスプライン形成部分９８を離脱させ、２つの頑丈なロックラグを動かしてロックコアのロックラグ溝１１４、１１６と係合させる。このようにして、ロックラグはレバー・ハンドル３６をロックコアに接続するので、ハンドルが後退子から離脱されたとき、堅固な「Ｔ」設計が回転を防止する。
【００６３】
図３からわかるように、ロックコア１０は中央コア片１１８および２つのベアリング・キャップ１２０、１２２を含む。これらはベアリング１２、１４とそれぞれ共同する。ベアリング・キャップ１２０、１２２は、止めネジ１２４によって中央コア１１８に保持される。各ベアリング・キャップは４つの止めネジを備えることが好ましい。現場で容易に分解または補修される従来のロック設計とは相違して、止めネジを取り除くことによって、本設計のロックコアはほとんど完全に分解されうる。外側ベアリング・キャップ１２０は、１対のスプリング１３０、１３２およびスプリング・ドライバ１３４を包囲する。外側ベアリング・キャップ１２０は、図５に詳細に示されている。スプリング・ドライバは、２つの内方指向指１３６、１３８を含む。これらは外側スリーブ４０の対応する切欠に係合する。ハンドル３６の回転がスプリング・ドライバ１３４を回転するように、指１３６がスリーブ４０の切欠１４０に係合する。
【００６４】
スプリング・ドライバ１３４は、コイルスプリング１３０、１３２を駆動する１対の軸方向伸長タブ１４２、１４４を含む。コイルスプリング１３０、１３２は、各ベアリング・キャップの内周に形成された溝内に横たわり、２つの対応するスプリング停止部１５０、１５２（図５参照）間に捕捉される。スプリング停止部は、ベアリング・キャップの内側で上下に配置される。コイルスプリング１３０、１３２は、スプリング停止部１５０、１５２とスプリング・ドライバのタブ１４２、１４４との間に力を発生して、タブをスプリング停止部と整合させる。
【００６５】
いずれかの方向にスプリング・ドライバ１３４を回転させることは、一端におけるスプリング停止部と他端におけるタブとの間でコイルスプリング１３０、１３２を圧縮する。このようにして、スプリング停止部の位置は、ハンドルの休止位置を規定する。スプリング停止部の位置および水平に関するハンドルの位置、ならびにラッチ機構１８の軸は、止めネジが装着される前にベアリング・キャップが中央コア片１１８に装着される角度だけ製造中に設定される。
【００６６】
スプリング停止部に加えて、それは休止位置を規定するが、ベアリング・キャップがレバー・ハンドルの最大回転を規定しかつ制限する。多分、この最大回転は、約４５度上および約４５度下になる。制限停止部は、ベアリング・キャップの内側に機械加工された２つの制限溝１５６、１５８によって与えられる。制限溝１５６、１５８はロックラグ溝１１４、１１６に接近している。ロック片が解錠位置に向かって内方に動くとき、ロックラグ８２、８４はロックラグ溝１１４、１１６から出て隣接制限溝１５６、１５８内に動く。制限溝１５６、１５８は、レバー・ハンドルおよびロック片の所望量回転を許すように採寸されている。もしも、最大許容回転を超えてハンドルを回転させる試みがなされたならば、ロックラグが限度溝の端に接触する。この限度において加えられる過剰な力は、ロックコアに伝達され、そこからロックの「Ｔ」設計をかいしてドアーに伝達される。これは、施錠位置ばかりではなく解錠位置において加えられる過剰の力から内部ロック機構を保護する。
【００６７】
実質的に同一の構造が反対のベアリング・キャップ１２２にも見出される。ベアリング・キャップ１２２は、対応するスプリング・ドライバおよび対のコイルスプリングを含む。この記載から、ロックコアは、停止部と、レバー・ハンドル３６、３７を停止部の休止位置まで戻すために必要なスプリング・リターン機構とを含むことが理解されるであろう。ロック機構がロック片８６をハンドル３６に向けて滑らせることによって施錠されたとき、ロックラグ８２、８４がベアリング・キャップ１２０に係合することがわかるであろう。ロックラグ８２、８４は、ロックコアの内部にある停止部に対しても作用する。
【００６８】
この機構は、停止部およびスプリング・リターン機構が菊形部５０または７２内ではなくロックコア内に完全に配置されている点で、従来技術の設計とは相違する。ロックラグ８２、８４がスリーブから外方に突出してベアリング・キャップに接触するので、ロック機構は極めて堅固である。このようにして、回転に抵抗する力が強固に機械加工されたスリーブをかいして堅固な２つのラグ、ロック片へ、そして、そこからロックコアへ伝達される。ロック片からコアへの力の伝達は、スリーブ４０に関して外周においてなされる。ロックラグがスリーブ４０の周囲から外に突出しているので、ロック機構にかかる力は、本設計のスリーブ４０、６２におおよそ対応する巻取スピンドル内に完全にロック機構を配置している従来技術の設計に比べて減少される。
【００６９】
ドアー内のロックコア１０の回転は、ロックコアを完全に貫通するラッチボルト・フレーム２０の「Ｔ」設計によって抵抗される。堅固なロックコアと、「Ｔ」設計と、およびロックの中心線からの比較的大きい距離で力を伝達するロックラグとの組合せが、悪用に対して極めて抵抗のある非常に安全なロック機構をつくる。ロック機構は、損傷なしに、レバー・ハンドルによってスリーブに対して１０００インチ−ポンドのトルクの付加に容易に抵抗する。この過剰なトルクはロックを開かせない。その結果、菊形部５０から菊形部７２までの貫通ボルトを与える必要がない。貫通ボルトはロックコア１０を受ける開口の外周の外側を通過する。貫通孔および貫通ボルトが要求されないので、菊形部５０、７２は薄くなり、小径となる。これは、スプリング・リターン機構と菊形部の貫通ボルトと共同する従来技術の設計に比べて、魅力的なロック設計をつくる。
【００７０】
外側ハンドル３６およびロック・シリンダ５８を含めて、ロックの外側構成部品は、外側スリーブ４０に装着される。これらの構成部品がカラー４８を取り除くことによって除去されることを防止するために、外側カラー４８は、１またはそれを超える組のロック切欠１４６および対応する逆向きロックタブ１４８と共につくられる。それらは、外側カラー４８が外側ベアリング・キャップ１２０の正面に当接する場合に、外側保持カラー４８に胸壁縁をつくる。ロック切欠は、ロックピン２８の頭部３０を受けるのに十分に深い。
【００７１】
ロックピンのシャフトは、組み立てられたロックコア１０の幅よりもわずかに長い。内側カラー７０が胸壁縁を含んでいないので、それが装着されたとき、それはロックピン２８の頭部３０を押し付けて外側ベアリング・キャップ１２０の表面から上に突出させる。その表面は、外側保持カラー４８が当接する表面のちょうど下にロックピン２８の頭部３０が最初に横たわることがてきる凹所を有する。
【００７２】
機構を組み立てるために、ロックコア１０はドアーの開口に挿入される。ロックコア１０が正しい側で頂部まで挿入されて、停止部が休止位置にあるときに、停止部がハンドルに対して所望のわずかに上方角度をつくるように向けられることが重要である。ラッチ機構１８は次いでドアーの開口に挿入され、ロックコアの開口１６内に後方側を通って押し込まれる。そこでは、ラッチ機構１８はロックコアの後方の第２開口２６に着座される。ピン２８は、ドアーの外側からラッチボルト・フレーム２０の後方を通りロックコアに押し込められて、それを定位置に施錠する。
【００７３】
ピン２８は、頭部３０が外側ベアリング・キャップ１２０の正面の下に横たわるまで内側に押される。ドアーのいずれかの側は施錠側であるので、ロックコア１０の両面はピン２８の頭部３０を受けるように凹所を設けられる。
【００７４】
外側スリーブ４０は、外側ベアリング、すなわち、ピン２８の頭部３０と同じ側に挿入される。ベアリング１２、１４は同一であり、両者は右手揺動ドアーまたは左手揺動ドアーのいずれが所望されるかに基づいていずれかのロックカラーを受け入れる。次に、外側カラー４８は、ロックタブ１４８がベアリング・キャップ１２０の正面に接触するまで、係合されかつ締め付けられる。タブが正面の下にあるので、タブは頭部３０を通過できる。外側カラーが一旦締め付けられると、内側スリーブ６２が残りのベアリングに装着される。内側カラー７０が締め付けられたとき、それはピン２８の端に接触し、その凹所から頭部３０を押し上げ、外側カラーの胸壁縁のロック切欠と施錠係合状態にする。これは、外側カラーが取り除かれることを防止する。
【００７５】
外側および内側菊形部５０、７２が取り付けられ、ハンドルによって追従される。最後に、止めネジ５４、７４が締め付けられて、端遊びを完全に排除する。従来のノブ・ハンドルは、４５度より大きい回転を伴ってラッチボルトを後退させるように通常は設計されている。本発明は、制限溝の角度寸法を増加することによって、このような大きい回転角を伴って動作する。大きい回転角は、丸いノブを握り、手首を回転することによってノブを回転したとき、使用者に快感をあたえる。しかし、レバー・ハンドルを操作するときの手の動きは異なり、使用者がレバー・ハンドルを４５度よりもずっと大きい回転角でまわさなければならないことは不快である。
【００７６】
この小さい角度は、後退機構がラッチボルトをノブ・ハンドルに要求されているよりも急速に後退させなければならず、すなわち、ラッチボルトをハンドル回転の角度についてもっと先に後退させなければならないことを意味する。本発明においては、この要求はラッチボルトにおいてラッチ後退増幅子によって満たされる。
【００７７】
図６、７において、後退子機構１０２は、スプライン形成開口１００を有する従来のカム１６０を備えている。従来技術の設計におけるように、対応する第２カムおよび第２スプライン形成開口はラッチ機構１８内で第１カム１６０および第１スプライン形成開口１００に隣接して対称に配置されて、内側および外側ハンドルがラッチボルトを独立して後退させることができる。レバー・ハンドル３６が回されたとき、スプライン形成部分９８は、図６に示す位置から図７に示す位置までカム１６０を回転させる。カム１６０は、ラッチボルト２２を後退させるようにラッチボルト２２の尾端１６２に作用する。従来の設計では、この後退は直接であり、ラッチボルト頭部が、ラッチボルト尾端が動かされる距離と同じ距離だけ後退する。しかし、本発明の設計においては、頭部の直線後退運動が後退子アーム１６４によって（尾端の直線後退運動に比べて）増幅される。
【００７８】
ラッチボルト頭部２２は、尾端片１６２の板１６８内で滑るシャフト１６６を含む。従来のスプリング（図示せず）は尾端片１６２に関して延長された（図６におけるように）ラッチボルト頭部を維持する。これらのスプリングおよび尾端片１６２に関する頭部２２の動きは周知であり、また、ハンドルを動かす必要なしに、ドアーが揺動して閉じられ、ラッチボルトがドアー・フレームに当たるときに、ラッチボルト頭部２２が後退位置に向かって内方に動くことを許すように要求される。
【００７９】
本発明においては、ハンドルによってラッチボルトの後退中に、頭部および尾端は従来技術の設計のようにユニットとして動かない。その代わりに、後退子アームおよび後退子リンク１７０がラッチボルトの頭部と尾端部との間に挿入される。後退子リンク１７０は、ラッチボルト尾端片１６２と後退子アーム１６４との間に接続される。後退子リンク１７０は、ピボット１７２と共にラッチボルト尾端片１６２に接続され、ピボット１７４と共に後退子アーム１６４に接続される。
【００８０】
後退子アーム１６４は、ピボット１７６と共に固定ラッチボルト・フレーム２０に接続される。後退子アーム１６４の先端１８０は、シャフト１６６の溝１８２の内側に嵌合する。後退子アーム１６４の先端１８０は、移動ピボット１７４が固定ピボット１７６から離れるよりもさらに離れているので、尾端片１６２の後退運動は増幅され、シャフト１６６およびラッチボルトの頭部２２が、従来技術装置に要求されているよりもカム１６０の著しく小さい角度回転を伴って完全後退位置まで動く。後退子リンクはラッチボルトの直線運動を増幅するように作用して、レバー・ハンドルが４５度回転されたとき、ラッチボルトが完全後退位置まで動く。
【００８１】
保安教室ロック機構
図８は、本発明に基づく保安教室ロック機構を含むロックの主な小組立体を示す。図８に示すロックは、図１に示す対応する小組立体から変更されていないいくつかの主小組立体を含む。小組立体は、レバー・ハンドル３６、７４、内側および外側菊形部７２、５０、ロックコア１０、内側および外側カラー７０、４８、ならびにラッチ機構１８を含む。ロックピン２８およびハンドル止めネジ５４、７５も変更されておらず、前述したように機能する。
【００８２】
ロックの内側は、第２ロック・シリンダ２００、第２キー２０２を含む。これらは、図８のロックの保安教室機能を作動し、かつ、図１−７に関連して前述したボタン・ロック機構を置き換える。第２ロック・シリンダ２００および第２キー２０２は、キー・カットおよびピン・タンブラが異なってもよいことを除いて、第１ロック・シリンダ５８およびキー６０と好ましくは同一である。
【００８３】
図１−７の実施例において記載された内側スリーブおよび外側スリーブは、内側スリーブ２０４および外側スリーブ２０６と置き換えられている。内側ロック機構は内側スリーブ２０４内に配置され、図９に示されている。外側ロック機構は外側スリーブ２０６内に配置され、図１０に示されている。これら２つのロック機構間の相互作用は、本発明の改良された保安教室機能を実行する。
【００８４】
図９において、外側ロック機構は、ハンドル３６が装着された外側部分２１０を有する外側スリーブ２０６を含む。拡大部分２１４がベアリング１２の正面４６に接触するまで、外側スリーブ２０６の内側部分２１２はロックコア１０のベアリング１２内に滑り込む。外側スリーブ２０６は、外側保持カラー４８によってベアリング１２内に保持される。外側保持カラー４８は、図１−７に関連して前述したように、胸壁縁をつくるように１またはそれを超える組のロック切欠１４６および対応する両方向指向ロックタブ１４８を含む。
【００８５】
外側保持カラーの胸壁縁は、締め付けられたとき、外側ベアリング・キャップ１２０の正面に接触する（図３、５参照）。ロックピン２８の頭部３０は胸壁縁と押嵌め係合状態に押し込まれて、内側保持カラー７０が（ロック切欠なしに）ベアリング１４に係合されて内側スリーブ２０４と取り付けるとき、外側保持カラーの除去を防止する。
【００８６】
外側スリーブ２０６は、スリーブの内側部分２１２を垂直に横切って延びる溝２１６を含む。溝２１６は、ロック片２２２上にラグ２１８、２２０を受ける。ラグはスリーブ２０６から外方に突出し、施錠位置と解錠位置との間で軸方向滑り運動中に溝２１６によって案内される。
【００８７】
ロック片２２２のための施錠位置はハンドル３６に向かってロック片２２２を定置して、ラグ２１８、２２０がロックコア１０内で対応するロックラグ溝１１４、１１６に係合する（図５参照）。解錠位置において、ロック片２２２は、ハンドル３６から（ロックコア１０の中心に向かって）スリーブ２０６の遠方端に配置され、ロックラグはロックラグ溝１１４、１１６に係合しない。
【００８８】
外側ハンドル３６はその内部ラグ（図示せず）によってスリーブ２０６に取り付けられる。内部ラグは、スリーブ２０６の溝２３６、２３８に係合し、ハンドルとスリーブとの間に非常に強力な接続をつくる。したがって、ハンドルの回転は常にロック片２２２を回転する。このようにして、ロックラグ２１８、２２０がロックラグ溝１１４、１１６にあるとき、外側ハンドルは回されることができず、ドアーは開かれることができない。
【００８９】
ロック片２２２は、スプライン部材２２８上の外スプライン形成部分２２６に係合する内部スプライン形成中央開口２２４を含む。スプライン部材２２８は外側スリーブ２０６内に嵌合し、ロック片２２２の内側でスプライン形成開口２２４に係合する。スプライン部材２２８は、リング溝２３２に嵌合するＣリング２３０によって定位置に保持される。スプライン形成部分２３４はロック片２２２の端を超えて外方に延び、ラッチ機構１８の内側で後退子機構１０２を作動するように対応するスプライン形成開口１００（図６、７参照）に係合する。
【００９０】
ロック片２２２が解錠位置（スプライン形成開口１００に向かっておよびハンドル３６から離れて）にあるとき、スプライン形成部分２３４のみがスプライン形成開口１００に係合する。ロック片２２２が施錠位置へ動かされるとき、ロックラグ２１８、２２０はロックラグ溝１１４、１１６に係合し、また、スプライン形成部分２３４がハンドル３６に向かって動かされ、スプライン形成開口１００から自動的に離脱される。
【００９１】
スプライン形成部分２２６、２３４は、ロック片２２２と共に常に動きかつ回転する外側ラッチドライバを形成する。スプライン形成端２４０およびキー端２４２を接続するシャフト２４４は、外側ラッチドライバの中心を通って延びている。２つの端２４０、２４２は、シャフト２４４をかいして接続されていて、それらが常に一緒に回転し、キー端２４２から外側キー・シリンダ５８によって回転駆動される。しかし、シャフト２４４は、キー端２４２がスプライン形成端２４０に向かって軸方向に動くことを許す。スプライン形成端２４０は、スプライン形成部分２３４に隣接して常に保持される。
【００９２】
２つの端２４０、２４２およびシャフト２４４は、以下に詳細に述べるように、内側および外側キーによって軸方向および／または回転方向に動かされうるキー被駆動片を形成する。スプリング２４６は、キー被駆動片のキー端２４２にスプライン形成端２４０およびスプライン形成部分２２６、２３４から遠去かるように偏倚作用を及ぼす。スプリング２４８は、キー端２４２にハンドル３６に向けて偏倚作用を及ぼし、それによってロック片２２２を施錠位置に向けて偏倚作用を及ぼす。
【００９３】
図９の外側ロック機構の基本動作がいま記載される。ハンドル３６は、常に外側スリーブ２０６を回す。ロック片２２２が施錠位置にあるならば、ハンドルは回されることができない。なぜならば、ロックラグがロック溝に係合しているからである。Ｃリング２５０およびスプライン形成開口２２４はロック片２２２およびスプライン形成部分２２６、２３４を一緒に保持して、それらが単独のユニットとして軸方向および回転方向に動く。このようにして、施錠位置にあるロック片と共に、外側ラッチドライバのスプライン形成部分２３４がスプライン形成開口１００から離脱されるが、キー被駆動片のスプライン形成端２４０はスプライン形成開口１００と係合状態に留まる。この状態において、スプライン形成部分２２６、２３４、外側ハンドル３６、ロック片２２２、またはスリーブ２０６（これらすべては単独ユニットとして動くように回転を拘束されている）を回転させずに、シャフト２４４をかいしてスプライン形成端２４０を回転するように、キー端２４２を回すことによって、ラッチが後退されてもよい。
【００９４】
外側キー６０の回転は、接続片２５２を回転させる外側キー尾端片１１１を回す。接続片２５２は、Ｃリング２５８によって外側スリーブ２０６の内側に保持される。Ｃリング２５８は、接続片２５２がスリーブに関して回転する（軸方向に動かない）ことを許す。接続片２５２は、キー端２４２の螺旋溝２５６に係合するピン２５４を含む。接続片２５２を回転することが最終的にピン２５４を停止部に接触させ、接続片２５２の回転をキー端２４２に伝達し、それによってスプライン形成端２４０を回すように、螺旋溝２５６の両端に停止部がある。
【００９５】
接続片２５２がキーによって時計方向に回されたとき、図１０の内側ロック機構からの干渉（スプライン形成端２４０の軸方向先端に接触できる）がないと仮定すれば、キー端２４２、３つのスプライン形成部分２２６、２３４、２４０、およびロック片２２２を備えた全体のユニットがハンドルから離れて軸方向に動いて、解錠位置にロック片を位置決めする。接続片の時計方向回転は、ピン２５４がスプライン形成端２４０から最も離れた螺旋溝２５６の端に到達させる。この位置におけるピンによって、スプリング２４８は圧縮され、外側ロック機構がいわゆる「解錠状態」にある。
【００９６】
キーが反対方向（反時計方向）に回されたとき、ピン２５４は螺旋溝の反対端（スプライン形成端２４０に最も接近する）まで移動し、スプリング２４８がキー端２４２を外側ハンドルに向けて押し付け、ロック片２２２が施錠位置まで動き、外側ロック機構がいわゆる「施錠状態」になる。
【００９７】
外側ロック機構が施錠状態にあるとき、ロック片は常に施錠位置にある。外側ロック機構が解錠状態まで回されたならば、ロック片は解錠位置まで通常は動く。しかし、この運動は、内側ロック機構によって防止されることができる。内側ロック機構は、スプライン形成端２４０の先端に対して軸力を加えることができる。その力は、キー被駆動片（３つのスプライン形成部分２２６、２３４、２４０およびロック片２２２を備えている）が軸方向に動くことを防止し、それによって、ロック片が解錠位置へ移動することを防止する。その代わりに、キー端２４２のみが動き、スプリング２４６が圧縮される。
【００９８】
このようにして、内側ロック機構が施錠状態にあるとき、キー被駆動片のキー端２４２の一部のみが外側ロック機構によって軸方向に移動されることができる。スプライン形成端２４０からキー端２４２までのキー被駆動片の全長は、スプリング２４６が圧縮されたとき、短縮される。しかし、キー端は回転されることができ、その回転はスプライン形成端２４０に伝達される。スプライン形成端２４０は、ラッチ機構のスプライン形成開口１００に係合してラッチを後退させる。内側ロック機構が施錠状態に留まっている限り、ロック片２２２は解錠位置まで動かされることはできない。
【００９９】
内側ロック機構を解錠状態まで回すことによってスプライン形成端２４０の先端における軸力を解除することは、ロック片が解錠位置へ移動し、外側ハンドルを解錠することを許す。２つの端２４０、２４２が互いに向かって動くことを許すキー被駆動片の設計は、内側ロック機構および外側ロック機構の両者が解錠状態にあるときのみ、ロック片が解錠位置にあることを許す。内側ロック機構の施錠状態または解錠状態は、外側ロック機構の施錠状態または解錠状態からまったく独立しており、一方の状態を変えることは他方の状態に影響を及ぼさない。
【０１００】
図１０は、内側ロック機構を示す。図１０における内側ロック機構は図８の向きと比べて左右を反転されていることを強調しなければならない。図１０において、内側ロック機構は、図９の外側ロック機構と同じ向きに示されている。しかし、使用のさいには、内側ロック機構は外側ロック機構とは反対に常に定置され、内側ロック機構のスプライン形成部分２６６の接触先端２６４が外側ロック機構のスプライン形成端２４０に向かって定置している。内側ロック機構のスプライン形成端２６８は、スプライン形成部分２２６および内側キー端２７０を固く接続して内側ラッチドライバを形成する。
【０１０１】
内側キー端２７０は螺旋溝２７２を有する。螺旋溝２７２は、外側キー端２４２および外側接続片２５２のために上述した仕方で内側接続片２７６の内側ピン２７４を共同する。
【０１０２】
内側キー２０２を回転することは、内側接続片２７６を回転することになる。内側接続片２７６は、Ｃリング２７８の保持作用のために内側スリーブ２０４に関して軸方向に動くことはできない。内側キー２０２が反時計方向（正常な解錠方向）に回されたとき、ピン２７４は接触先端２６４に最も近い螺旋溝の端まで移動し、外側ロック機構のスプライン形成端２４０から離れて接触先端を引っ張る。この位置において、内側ロック機構はいわゆる「解錠状態」にあり、外側ロック機構を干渉することはできない。外側ロック機構は次いでロック片の施錠または解錠位置を制御する。
【０１０３】
内側キー２０２を時計方向（正常な施錠方向）に回転することが、ピン２４７を接触片２６４から最も遠い螺旋溝の端まで移動させ、外側ロック機構のスプライン形成端２４０に向けて接触先端を押し付ける。これは、内側ロック機構の施錠状態である。この状態において、スプリング２８０は圧縮され、ロック片が外側ロック機構によって解錠位置へ移動されることはできず、また、外側ハンドルが回されることはできない。内側および外側ロック機構が独立して動作するので、外側ロック機構を回すことまたはその状態を変えることは、内側ロック機構の状態に悪影響をもたらすことはできない。
【０１０４】
内側ラッチドライバのスプライン形成部分２６４は、内側ロック機構が施錠状態または解錠状態のいずれにあるかにかかわらず、ラッチ機構に常に係合する。内側ハンドル７４は、内側または外側ラッチ機構が施錠されているかどうかにかかわらずまたロック片が施錠位置にあるかどうかにかかわらず、常に回されることができる。その結果、内側ハンドルを回すことは常にラッチボルトを後退させ、ドアーを内側から開けられるようにする。
【０１０５】
本発明は特別な好適実施例に関連して特に述べられてきたが、多くの変更、修正、変形が上記の記載から照らして当業者にとって明らかであることは、明白である。したがって、添付特許請求の範囲は、本発明の真実の範囲および精神内にある変更、修正、変形を包含することが意図されている。
【０１０６】
新規であると信じられる本発明の特質および本発明の要素の特徴は、添付特許請求の範囲に特に述べられている。図面は説明の目的のためだけであり、寸法どおりに描かれていない。しかし、本発明自体は動作の構成および方法に関して、添付図面と共に上記の詳細な記載を参照することによって最もよく理解されるであろう。
【図面の簡単な説明】
【０１０７】
【図１】本発明の保安教室ロック機構なしのロックの主要構成部品を示す一部分解斜視図である。
【図２】組立形態にある図１の構成部品を示す斜視図である。他の組立構成部品がより明確に見られるようにレバー・ハンドルが示されていない。
【図３】図１のより完全な分解斜視図である。
【図４】図３の４−４線にそって側面から見た図面であって、水平に関してレバー・ハンドルの上方角度を示す。
【図５】正面内側からのベアリング・キャップの斜視図である。
【図６】ラッチ機構の側面図であって、ラッチボルトが伸長されている状態を示す。ラッチボルト・フレームの一部が切断されている、ラッチ後退子機構を示す。
【図７】ラッチ機構の側面図であって、ラッチボルトが後退された状態を示す。ラッチボルト・フレームの一部が切断されている、ラッチ後退子機構を示す。
【図８】保安教室ロック機構を設けられた本発明のロックの主要構成部品を示す一部分解斜視図である。図８は図１と類似であるが、ロックの内側がボタン・ロック作動子に代えてキー・シリンダが設けられていること、ならびに内側および外側ロック機構を収容するロックコアの両側にあるスリーブが図１の対応するスリーブおよびロック機構とは内部的に相違することを除く。図８に示す構成部品は、工場で供給されかつ現場で装着中に一体に嵌合される主要な構成部品小組立体である。
【図９】図８の外側スリーブ内に収容された外側ロック機構の分解斜視図である。
【図１０】図８の内側スリーブ内に収容された内側ロック機構の分解斜視図である。構成部品をよりよく示すために、図１０の内側スリーブおよび内側ロック機構が図８の向きから逆に示されていて、それらが図９の外側スリーブおよび外側ロック機構と同じ向きになっている。
【符号の説明】
【０１０８】
１０    ロックコア
１２、１４    ベアリング
１６    正面開口
１８    ラッチ機構
２０    ラッチボルト・フレーム
２２    ラッチボルト
２４    ロックコアの軸
２６    第２開口
２８    ロックピン
３０    拡大頭部
３２    穴
３４    ラッチボルト機構の軸
３６    外側ハンドル
３８    シャフト部分
４０    スリーブ
４２    内側部分
４４    拡大部分
４６    ベアリングの正面
４８    外側保持カラー
５０    菊形部
５２    平坦部
５４    止めネジ
５６    スプリング保持機構
５８    ロック・シリンダ
６０    キー
６２    内側スリーブ
６４    シャフト部分
６６    拡大部分
６８    内側部分
７０    内側カラー
７２    内側菊形部
７４    内側ハンドル
７５    止めネジ
１０２    後退子機構
【図１】
2005535803.tif 000003
【図２】
2005535803.tif 000004
【図３】
2005535803.tif 000005
【図４】
2005535803.tif 000006
【図５】
2005535803.tif 000007
【図６】
2005535803.tif 000008
【図７】
2005535803.tif 000009
【図８】
2005535803.tif 000010
【図９】
2005535803.tif 000011
【図１０】
2005535803.tif 000012
【手続補正書】
【提出日】平成16年11月24日(2004.11.24)
【手続補正１】
【補正対象書類名】特許請求の範囲
【補正対象項目名】全文
【補正方法】変更
【補正の内容】
【特許請求の範囲】
【請求項１】
ドアーに装着するための保安教室機能ロック機構であって、
内側ロック・シリンダおよび対応する内側キーによって操作可能な内側ロック機構であって、解錠状態と施錠状態との間で前記内側ロック機構を変更するようになっている内側ロック機構と、
外側ロック・シリンダおよび対応する外側キーによって操作可能な外側ロック機構であって、解錠状態と施錠状態との間で前記外側ロック機構を変更するようになっており、前記内側および外側ロック機構の状態は互いに独立している外側ロック機構と、
ドアーを掛止する伸長位置とドアーを開放する後退位置との間の移動をするように内側および外側ハンドルによって操作可能なラッチボルトを含むラッチ機構と、ならびに
施錠位置と解錠位置との間で移動可能なロック片であって、前記ロック片が前記施錠位置にあるとき、前記ロック片は前記外側ハンドルが前記ラッチボルトを前記後退位置へ動かすことを防止し、前記内側ロック機構または前記外側ロック機構のいずれかが前記施錠状態に変更されたとき、前記ロック片は前記解錠位置から前記施錠位置まで駆動され、また、前記内側および外側ロック機構の両者が前記解錠状態に変更されたとき、前記ロック片は前記解錠位置へ駆動され、前記外側ラッチ機構が解錠状態に変更されかつ前記内側ロック機構が施錠状態に留まっているとき、前記ロック片は前記施錠位置から解錠位置へ駆動されないロック片と
を備える、保安教室機能ロック機構。
【請求項２】
前記ロック片は両方向において外方に突出する２本のロックラグを含み、前記ロック片が前記施錠位置にあるとき、前記ロックラグはロックコアに係合して前記外側ハンドルが前記ラッチボルトを前記後退位置へ動かすことを防止する、請求項１に記載の保安教室機能ロック機構。
【請求項３】
前記外側ハンドルは外側スリーブ上に回転不能に装着されていて、前記外側ハンドルが回転されるとき、該外側スリーブを回し、
前記外側スリーブが前記外側ハンドルによって回転されるとき、前記外側スリーブが前記ロック片に係合し、かつ、前記ロック片を回し、
前記ロック片は外側ラッチドライバを含み、前記外側ハンドルが回転されたとき、前記外側ラッチドライバは前記ロック片と共に回され、
前記ロック片が前記解錠位置にあるとき、前記伸長位置と前記後退位置との間で前記ラッチボルトを駆動するように前記ラッチ機構に係合することによって、また、前記ロック片が前記施錠位置にあるとき、前記ラッチ機構から離脱することによって、前記外側ラッチドライバが前記スリーブと前記ラッチ機構との間に動作接続を形成する、請求項１に記載の保安教室機能ロック機構。
【請求項４】
前記ロック片はそれを貫通するキー被駆動片を含み、該キー被駆動片は前記外側ロック機構によって回転駆動され、前記キー被駆動片が前記施錠位置にあるとき、該キー被駆動片が前記ラッチ機構に係合して、前記ロック片が前記施錠位置にあるとき、前記ラッチボルトが前記外側ロック・シリンダによって後退されることを許す、請求項３に記載の保安教室機能ロック機構。
【請求項５】
前記キー被駆動片はキー端とスプライン形成端とを含み、前記ロック片が前記施錠位置にあるとき、該スプライン形成端がラッチ機構に係合する、請求項４に記載の保安教室機能ロック機構。
【請求項６】
前記キー端は前記スプライン形成端に関して軸方向に滑動できる、請求項５に記載の保安教室機能ロック機構。
【請求項７】
前記キー被駆動片の前記キー端を該キー被駆動片の前記スプライン形成端から離れさせる偏倚作用を及ぼす第１スプリングをさらに含む、請求項６に記載の保安教室機能ロック機構。
【請求項８】
前記キー被駆動片の前記キー端を前記外側シリンダに向ける偏倚作用を及ぼす第２スプリングをさらに含む、請求項７に記載の保安教室機能ロック機構。
【請求項９】
ドアーの第１開口内に嵌合するのに適したロックコアをさらに含み、該ロックコアがベアリングを含み、前記ラッチ機構はドアーの第２開口内に嵌合するのに適したラッチボルト・フレームを含み、前記第２開口がドアーの縁からドアーの前記第１開口まで延び、前記ラッチボルト・フレームが前記ロックコアに取り付けられかつ該ロックコアに固く係合し、前記ラッチボルト・フレームがドアーの前記第２開口によって係合され、前記ラッチボルト・フレームと前記ロックコアとの間の固い係合がドアーに関する前記ロックコアの回転を防止するように作用する、請求項１に記載の保安教室機能ロック機構。
【請求項１０】
前記ラッチボルト・フレームは管である、請求項９に記載のロック機構。
【請求項１１】
前記ロックコアがスプリング・リターンを含み、前記外側ハンドルがレバー・ハンドルであり、前記スプリング・リターンは前記レバー・ハンドルをレベル位置にまたはそれより上に保持するのに十分な強度を有する、請求項９に記載の保安教室機能ロック機構。
【請求項１２】
前記ロックコアはほぼ円筒形であり、前記スプリング・リターンが複数のコイルスプリングを含み、該コイルスプリングは前記ロックコアの内面と湾曲接触状態に配置される、請求項１１に記載の保安教室機能ロック機構。
【請求項１３】
前記ラッチボルト・フレームは前記ロックコアを貫通し、前記スプリング・リターンが４本のコイルスプリングを含み、該コイルスプリングは２対のコイルスプリングを備え、該コイルスプリングの対は前記ラッチボルト・フレームの両側に配置される、請求項１２に記載の保安教室機能ロック機構。
【請求項１４】
前記ラッチ機構は、前記ラッチボルトを前記後退位置へ動かす後退子機構と、ラッチ後退増幅子とをさらに含み、
前記ラッチ後退増幅子は、一端において前記ラッチボルト・フレームに旋回自在に取り付けられかつ他端において前記ラッチボルトに接触する後退子アームと、前記後退子機構と前記後退子アームとの間に延びる後退子リンクとを備え、
前記レバー・ハンドルが４５度回転されたとき、前記スリーブは前記ラッチボルトを前記後退位置まで動かすように前記後退子機構に接続されている、請求項９に記載の保安教室機能ロック機構。
【請求項１５】
前記外側ハンドルはレバー・ハンドルであり、前記外側レバー・ハンドルが休止しているとき、前記ロックコアが該ロックコアに関して前記外側レバー・ハンドルの角度装着向きを規定し、前記ラッチボルト・フレームが前記ロックコア上の前記外側レバー・ハンドルの角度装着向きに関して１８０度以下の角度で前記ロックコアに係合し、それにより、ドアーの第２開口および前記ラッチボルト・フレームが水平のとき、前記外側レバー・ハンドルがゼロより大きい水平を超える角度に維持される、請求項９に記載の保安教室機能ロック機構。
【請求項１６】
前記外側ハンドルはレバー・ハンドルであり、前記外側レバー・ハンドルが前記スリーブの前記シャフト部分に固く装着されて前記スリーブに関して前記レバー・ハンドルの軸方向運動を防止し、
前記スリーブは該スリーブを受けるベアリングの内径よりも大きい直径を有する拡大部分を含み、該拡大部分は保持カラーによって前記ベアリングの正面と接触状態に保持され、前記拡大部分は前記ベアリングの正面と共同して前記ロックコアに関して前記スリーブの軸方向運動を防止する、請求項９に記載の保安教室機能ロック機構。
【請求項１７】
前記保持カラーはロック切欠を含み、該ロック切欠はロックピンに係合して前記保持カラーが除去されることを防止する、請求項１６に記載の保安教室機能ロック機構。
【請求項１８】
前記ロックピンは前記ロックコア内まで延びている、請求項１７に記載の保安教室機能ロック機構。
【請求項１９】
前記ロックピンは頭部を含み、前記ロックコアは前記ロックピンの頭部を受ける凹所を含み、前記保持カラーが前記ロックコアに関して位置決めされることを許し、前記保持カラーが前記ロックコアに関して位置決めされた後に、前記ロックピンの頭部が前記ロックコアの凹所から外方に前記保持カラーの前記ロック切欠まで延びている、請求項１７に記載の保安教室機能ロック機構。
【請求項２０】
前記ロックコアに関して前記ラッチボルト・フレームを保持するように、前記ロックピンが前記ラッチボルト・フレームまで延びている、請求項１７に記載の保安教室機能ロック機構。
【請求項２１】
前記ロックコアは円筒形中央コアおよび１対のベアリング・キャップを含み、該１対のベアリング・キャップの一方は前記ベアリングを含み、他方は第２ベアリングを含む、請求項９に記載の保安教室機能ロック機構。
【請求項２２】
前記ロックコアの前記ベアリングは、回転軸を規定し、前記ラッチボルト・フレームは前記ロックコアを貫通しかつ前記回転軸の両側で前記ロックコアに係合する、請求項９に記載の保安教室機能ロック機構。
【請求項２３】
前記内側ロック機構は、前記内側ハンドルに接続されかつ前記内側ロック機構が前記解錠状態と前記施錠状態との間で動くとき前記ラッチ機構と連続係合状態にある内側ラッチドライバを含み、
前記外側ロック機構は外側ラッチドライバおよびキー被駆動片を含み、前記外側ラッチドライバは、前記外側ロック機構が前記解錠状態にあるときに前記ラッチ機構に係合しかつ前記外側ロック機構が前記施錠状態にあるときに前記ラッチ機構から離脱し、前記外側ロック機構が前記施錠状態にあるときに前記キー被駆動片は前記ラッチ機構に係合される、請求項１に記載の保安教室機能ロック機構。
【請求項２４】
前記キー被駆動片は２つの両端を含み、該２つの両端は互いに関して軸方向に滑動できる、請求項２３に記載の保安教室機能ロック機構。
【請求項２５】
前記キー被駆動片の前記２つの両端を互から離れるように偏倚作用を及ぼすスプリングをさらに含む、請求項２４に記載の保安教室機能ロック機構。
【請求項２６】
前記外側ロック機構の前記キー被駆動片は前記内側ロック機構の内側ラッチドライバによって接触され、前記内側ロック機構の内側ラッチドライバは前記内側ラッチドライバを軸方向に動かし、それにより前記外側ロック機構の前記キー被駆動片を動かす螺旋溝を含む、請求項２３に記載の保安教室機能ロック機構。
【請求項２７】
前記外側ロック機構の前記キー被駆動片は、前記外側ラッチドライバおよび前記キー被駆動片を軸方向に動かす螺旋溝を含む、請求項２６に記載の保安教室機能ロック機構。
【請求項２８】
前記外側ロック機構の前記キー被駆動片は、前記外側ラッチドライバおよび前記キー被駆動片を軸方向に動かす螺旋溝を含む、請求項２３に記載の保安教室機能ロック機構。
【請求項２９】
ドアーに装着するための保安教室機能ロック機構であって、
内側ロック・シリンダおよび対応する内側キーによって操作可能な内側ロック機構であって、解錠状態と施錠状態との間で前記内側ロック機構を変更するようになっている内側ロック機構と、
外側ロック・シリンダおよび対応する外側キーによって操作可能な外側ロック機構であって、解錠状態と施錠状態との間で前記外側ロック機構を変更するようになっており、前記内側および外側ロック機構の状態は互いに独立している内側ロック機構と、
ドアーを掛止する伸長位置とドアーを開放する後退位置との間の移動をするように内側および外側ハンドルによって操作可能なラッチボルトを含むラッチ機構と、ならびに
施錠位置と解錠位置との間で移動可能なロック片であって、前記ロック片が前記施錠位置にあるとき、前記ロック片は前記外側ハンドルが前記ラッチボルトを前記後退位置へ動かすことを防止し、前記内側ロック機構または前記外側ロック機構のいずれかが前記施錠状態に変更されたとき、前記ロック片は前記解錠位置から前記施錠位置まで駆動され、また、前記内側および外側ロック機構の両者が前記解錠状態に変更されたとき、前記ロック片は前記解錠位置へ駆動されるロック片と
を備え、
前記外側ハンドルは外側スリーブ上に回転不能に装着されていて、前記外側ハンドルが回転されるとき、該外側スリーブを回し、
前記外側スリーブが前記外側ハンドルによって回転されるとき、前記外側スリーブが前記ロック片に係合し、かつ、前記ロック片を回し、
前記ロック片は外側ラッチドライバを含み、前記外側ハンドルが回転されたとき、前記外側ラッチドライバは前記ロック片と共に回され、
前記ロック片が前記解錠位置にあるとき、前記伸長位置と前記後退位置との間で前記ラッチボルトを駆動するように前記ラッチ機構に係合することによって、また、前記ロック片が前記施錠位置にあるとき、前記ラッチ機構から離脱することによって、前記外側ラッチドライバが前記スリーブと前記ラッチ機構との間に動作接続を形成し、
前記ロック片はそれを貫通するキー被駆動片を含み、該キー被駆動片は前記外側ロック機構によって回転駆動され、前記キー被駆動片が前記施錠位置にあるとき、該キー被駆動片が前記ラッチ機構に係合して、前記ロック片が前記施錠位置にあるとき、前記ラッチボルトが前記外側ロック・シリンダによって後退されることを許す、保安教室機能ロック機構。
【請求項３０】
ドアーに装着するための保安教室機能ロック機構であって、
内側ロック・シリンダおよび対応する内側キーによって操作可能な内側ロック機構であって、解錠状態と施錠状態との間で前記内側ロック機構を変更するようになっている内側ロック機構と、
外側ロック・シリンダおよび対応する外側キーによって操作可能な外側ロック機構であって、解錠状態と施錠状態との間で前記外側ロック機構を変更するようになっており、前記内側および外側ロック機構の状態は互いに独立している外側ロック機構と、
ドアーを掛止する伸長位置とドアーを開放する後退位置との間の移動をするように内側および外側ハンドルによって操作可能なラッチボルトを含むラッチ機構と、
施錠位置と解錠位置との間で移動可能なロック片であって、前記ロック片が前記施錠位置にあるとき、前記ロック片は前記外側ハンドルが前記ラッチボルトを前記後退位置へ動かすことを防止し、前記内側ロック機構または前記外側ロック機構のいずれかが前記施錠状態に変更されたとき、前記ロック片は前記解錠位置から前記施錠位置まで駆動され、また、前記内側および外側ロック機構の両者が前記解錠状態に変更されたとき、前記ロック片は前記解錠位置へ駆動されるロック片と、
ベアリングを含み、ドアーの第１開口内に嵌合するのに適したロックコアと、
前記ラッチ機構はドアーの第２開口内に嵌合するのに適したラッチボルト・フレームを含み、前記第２開口がドアーの縁からドアーの前記第１開口まで延び、前記ラッチボルト・フレームが前記ロックコアに取り付けられかつ該ロックコアに固く係合し、前記ラッチボルト・フレームがドアーの前記第２開口によって係合され、前記ラッチボルト・フレームと前記ロックコアとの間の固い係合がドアーに関する前記ロックコアの回転を防止するように作用することと、
前記ラッチボルトを前記後退位置へ動かす後退子機構と、ならびに
一端において前記ラッチボルト・フレームに旋回自在に取り付けられかつ他端において前記ラッチボルトに接触する後退子アームと、前記後退子機構と前記後退子アームとの間に延びる後退子リンクとを有し、前記レバー・ハンドルが４５度以下だけ回転されたとき、前記スリーブは前記ラッチボルトを前記後退位置まで動かすように前記後退子機構に接続されているラッチ後退増幅子と
を備える、保安教室機能ロック機構。
【請求項３１】
ドアーに装着するための保安教室機能ロック機構であって、
内側ロック・シリンダおよび対応する内側キーによって操作可能な内側ロック機構であって、解錠状態と施錠状態との間で前記内側ロック機構を変更するようになっている内側ロック機構と、
外側ロック・シリンダおよび対応する外側キーによって操作可能な外側ロック機構であって、解錠状態と施錠状態との間で前記外側ロック機構を変更するようになっており、前記内側および外側ロック機構の状態は互いに独立している外側ロック機構と、
ドアーを掛止する伸長位置とドアーを開放する後退位置との間の移動をするように内側および外側ハンドルによって操作可能なラッチボルトを含むラッチ機構と、
施錠位置と解錠位置との間で移動可能なロック片であって、前記ロック片が前記施錠位置にあるとき、前記ロック片は前記外側ハンドルが前記ラッチボルトを前記後退位置へ動かすことを防止し、前記内側ロック機構または前記外側ロック機構のいずれかが前記施錠状態に変更されたとき、前記ロック片は前記解錠位置から前記施錠位置まで駆動され、また、前記内側および外側ロック機構の両者が前記解錠状態に変更されたとき、前記ロック片は前記解錠位置へ駆動されるロック片と、ならびに
ベアリングを含み、ドアーの第１開口内に嵌合するのに適したロックコアと
を備え、
前記ラッチ機構はドアーの第２開口内に嵌合するのに適したラッチボルト・フレームを含み、前記第２開口がドアーの縁からドアーの前記第１開口まで延び、前記ラッチボルト・フレームが前記ロックコアに取り付けられかつ該ロックコアに固く係合し、前記ラッチボルト・フレームがドアーの前記第２開口によって係合され、前記ラッチボルト・フレームと前記ロックコアとの間の固い係合がドアーに関する前記ロックコアの回転を防止するように作用し、
前記外側ハンドルはレバー・ハンドルを有し、該レバー・ハンドルは前記スリーブに関して前記レバー・ハンドルの軸方向運動を防止するように前記スリーブの前記シャフト部分に固く装着され、
前記スリーブは該スリーブを受けるベアリングの内径よりも大きい直径を有する拡大部分を含み、該拡大部分は保持カラーによって前記ベアリングの正面と接触状態に保持され、前記拡大部分は前記ベアリングの正面と共同して前記ロックコアに関して前記スリーブの軸方向運動を防止する、保安教室機能ロック機構。
【請求項３２】
ドアーに装着するための保安教室機能ロック機構であって、
内側ロック・シリンダおよび対応する内側キーによって操作可能な内側ロック機構であって、解錠状態と施錠状態との間で前記内側ロック機構を変更するようになっている内側ロック機構と、
外側ロック・シリンダおよび対応する外側キーによって操作可能な外側ロック機構であって、解錠状態と施錠状態との間で前記外側ロック機構を変更するようになっており、前記内側および外側ロック機構の状態は互いに独立している外側ロック機構と、
ドアーを掛止する伸長位置とドアーを開放する後退位置との間の移動をするように内側および外側ハンドルによって操作可能なラッチボルトを含むラッチ機構と、
施錠位置と解錠位置との間で移動可能なロック片であって、前記ロック片が前記施錠位置にあるとき、前記ロック片は前記外側ハンドルが前記ラッチボルトを前記後退位置へ動かすことを防止し、前記内側ロック機構または前記外側ロック機構のいずれかが前記施錠状態に変更されたとき、前記ロック片は前記解錠位置から前記施錠位置まで駆動され、また、前記内側および外側ロック機構の両者が前記解錠状態に変更されたとき、前記ロック片は前記解錠位置へ駆動されるロック片と
を備え、
前記内側ロック機構は、前記内側ハンドルに接続されかつ前記内側ロック機構が前記解錠状態と前記施錠状態との間で動くとき前記ラッチ機構と連続係合状態にある内側ラッチドライバをさらに含み、
前記外側ロック機構は外側ラッチドライバおよびキー被駆動片をさらに含み、前記外側ラッチドライバは、前記外側ロック機構が前記解錠状態にあるときに前記ラッチ機構に係合しかつ前記外側ロック機構が前記施錠状態にあるときに前記ラッチ機構から離脱し、前記外側ロック機構が前記施錠状態にあるときに前記キー被駆動片は前記ラッチ機構に係合される、保安教室機能ロック機構。
【手続補正２】
【補正対象書類名】明細書
【補正対象項目名】００４７
【補正方法】変更
【補正の内容】
【００４７】
外側ハンドル３６は、スリーブ４０のシャフト部分３８に装着される。スリーブ４０の内側部分４２はベアリング１２の内側で回転する（図３）。スリーブ４０の内側部分４２およびシャフト部分３８は、拡大部分４４によって分離される。拡大部分４４は、ベアリング１２の内径よりも大きい直径を有する。
【手続補正３】
【補正対象書類名】明細書
【補正対象項目名】００４８
【補正方法】変更
【補正の内容】
【００４８】
内側部分４２は、拡大部分４４がベアリング１２の正面４６に接触するまで、ベアリング１２内に滑り込む。スリーブ４０は、外側保持カラー４８によってベアリング１２内に保持される。
【手続補正４】
【補正対象書類名】明細書
【補正対象項目名】００６０
【補正方法】変更
【補正の内容】
【００６０】
ロック片８６が解錠位置にあるとき、スプライン形成部分９８が後退子機構のスプライン形成開口１００に係合して、ハンドルの回転が後退子機構を作動する。ロック片８６が施錠位置へ外方に動くとき、スプライン形成部分９８はスプライン形成開口１００から引き込まれる。この位置において、スプライン形成端１０６のみがスプライン形成開口１００に係合し、キー１１２を回転することによってラッチは後退されてもよい。
【手続補正５】
【補正対象書類名】明細書
【補正対象項目名】００８３
【補正方法】変更
【補正の内容】
【００８３】
図１−７の実施例において記載された内側スリーブおよび外側スリーブは、内側スリーブ２０４および外側スリーブ２０６と置き換えられている。内側ロック機構は内側スリーブ２０４内に配置され、図１０に示されている。外側ロック機構は外側スリーブ２０６内に配置され、図９に示されている。これら２つのロック機構間の相互作用は、本発明の改良された保安教室機能を実行する。


【国際調査報告】
2005535803.tif 000013